(57)【特許請求の範囲】
【請求項１】
モルタルに、アクリル酸エステル共重合体を主成分とする複合ポリマーエマルジョンとセラミック粉とを混入して生成した殺菌材を、空気流路中に配設するフィルターに担持させて形成したことを特徴とする空気流路用殺菌材。
【発明の詳細な説明】
【０００１】
【発明の属する技術分野】
この発明は、院内感染の主たる菌である緑膿菌とＭＲＳＡ（メチシリン耐性黄色ブドウ球菌）に対して効果的な殺菌作用を有する空気流路用殺菌材に関する。
【０００２】
【従来の技術】
上記した院内感染の発生メカニズムとしては、一般に、以下のことが考えられる。
【０００３】
▲１▼感染に対して抵抗力の弱っている患者が増加している。
【０００４】
▲２▼感染に対して抵抗力を弱めるような治療法や検査法が行われることがある。
【０００５】
▲３▼正常な防御機構を阻害するような医療が行われる場合がある。
【０００６】
▲４▼化学療法剤、殊に広域抗生物質の濃厚長期使用を行うことがある。
【０００７】
▲５▼病室の構造、特に壁面や床面が緑膿菌やＭＲＳＡの成育を助長している。
【０００８】
▲６▼病院の建物に配設されている通気ダクトを介して、抵抗力のない入院患者のい
る病室まで緑膿菌やＭＲＳＡが運ばれている。
【０００９】
ところで、上記した院内感染の発生メカニズムにおいて、▲６▼に着目した場合、従来では何ら対策を施していないのが現状である。
【００１０】
【発明が解決しようとする課題】
また、▲５▼に着目した場合は、病院の壁材は主としてセメントによるモルタル層やペイントなどの美装材によって形成されており、これは、緑膿菌やＭＲＳＡの恰好の育成場所となっている。
【００１１】
したがって、緑膿菌やＭＲＳＡが通気ダクトなどを介して病院内のいたるところ、例えば、菌に対して抵抗力の弱い入院患者のいる病室などにも運ばれることになる。
【００１２】
本発明は、上記課題を解決することのできる空気流路用殺菌材を提供することを目的としている。
【００１３】
【課題を解決するための手段】
この発明は、モルタルに、アクリル酸エステル共重合体を主成分とする複合ポリマーエマルジョンとセラミック粉とを混入して生成した殺菌材を、空気流路中に配設するフィルターに担持させて形成したことを特徴とする空気流路用殺菌材に係るものである。
【００１６】
【発明の実施の形態】
以下、本発明に係る空気流路用殺菌材の実施形態を図面に基づき説明する。
【００１７】
図１に病室Ａを示しており、１は空調機であり、同空調機１内部には、吸気口10と排気口11との間に空気流路（図示せず）が形成されている。
【００１８】
２は天井に配設した換気装置であり、同換気装置２は、天井内に配設した空気流路となるダクト３に連通連結している。
【００１９】
空調機１の空気流路内、及び、換気装置２の排気口21とダクト３との連結部分にはフィルター４を配設している。
【００２０】
同フィルター４は、ここではガラス繊維製としているが、エアフィルターとして機能するものであればその素材は何ら限定するものではない。
【００２１】
本実施の形態では、上記フィルター４に、後に詳述する殺菌材５を担持させて空気流路用殺菌材を形成し、空気の流通過程において、緑膿菌やＭＲＳＡなどの院内感染の主たる菌を殺菌するようにしている。
【００２２】
ここで担持とは、塗布、含浸などを指しており、ここでは、フィルター４の繊維素材に上記殺菌材５を含浸させている。
【００２３】
殺菌材５は、モルタルに、アクリル酸エステル共重合体を主成分とする複合ポリマーエマルジョンとセラミック粉とを混入して生成したものであり、モルタルとしては、白色セメントまたはポルトランドセメントに、珪砂、鉄粉、亜鉛華、その他を混合したものを用いるのが好ましい。
【００２４】
また、複合ポリマーエマルジョンは、固形分として25〜50％含むアクリル酸エステル共重合体水溶液を用いるのが好ましい。
【００２５】
また、セラミック粉は、珪砂を焼結した後に粉状としたものが好適に用いられる。
【００２６】
さらに、複合ポリマーエマルジョンとセラミック粉を含めたモルタルとの混合比は、１：１〜１：6.5 とするのが好ましい。
【００２７】
上記した殺菌材５は、特に、緑膿菌とＭＲＳＡ（メチシリン耐性黄色ブドウ球菌）にきわめて有効であり、同殺菌材５を使用した場合、所定時間後には緑膿菌が１／10以下に減少し、ＭＲＳＡに至っては、１／100 以下に減少することが実験的に確かめられている。さらに、その効力は長期にわたって持続することも対候性促進試験により確かめられている。
【００２８】
したがって、上記殺菌材５を担持させたフィルター４を空調機１や換気装置２に配設すれば、病院内などの空気を空気流路で循環させる過程において緑膿菌、ＭＲＳＡ等の各種細菌類を効果的に、しかも、長期にわたって滅菌、除菌することが可能となる。
【００２９】
特に、抵抗力のない患者の居る病室Ａ内の空気中の緑膿菌やＭＲＳＡが、上記フィルター４により除菌されるとなると、近年問題となっている院内感染を効果的に防止することができる。
【００３０】
また、参考例として、上記殺菌材５を、空気流路を構成する壁体内面に担持させて空気流路用殺菌材とすることもある。
【００３１】
すなわち、ここでは、図１に示したダクト３の内壁面31に、図２に示すように殺菌材５を直接塗布し、同殺菌材５とダクト３内を通過する空気とを接触させることによって殺菌作用をもたせている。
【００３２】
また、図３に示すように、例えば、ダクト３の内壁面31に殺菌材５を含浸させた不織布やガラスクロスや織布等の殺菌用貼設材32を貼設してもよい。また、例えば、ダクト３の内壁面31に断熱材を貼設し、同断熱材に殺菌材５を含浸させてもよい。勿論、含浸のみならず、上記殺菌用貼設材32や断熱材に殺菌材５を塗布してもよい。
【００３３】
なお、空気流路を形成するものとしては、上記ダクト３に限るものではなく、前記した空調機１や換気装置２内において空気流路を形成する枠体や壁体を含むものであり、また、これら空調機１や換気装置２の他、空気が流通するように区画形成されているものであれば何でもよい。
【００３５】
以下、上記してきた殺菌材５の製造方法について説明する。
【００３６】
先ず、複合ポリマーエマルジョンとして、以下の配合のものを用いた。
【００３７】
（例１）
0003691557.tif 000002
また、以下の成分構成でも好適に用いることができる。
【００３８】
（例２）
0003691557.tif 000003
また、上記複合ポリマーエマルジョンに混合するモルタルは、セラミック粉を含有した状態で以下の成分構成とした。
【００３９】
0003691557.tif 000004
なお、上記白色セメントの成分重量比は以下の通りとした。
【００４０】
0003691557.tif 000005
なお、この白色セメントに代えて、ポルトランドセメントを用いることもできる。
【００４１】
また、上記したセラミック粉としては、以下の組成のものを用いた。このセラミック粉は、廃材としての使用済碍子を磨砕して得たものであり、粒径は74μm 〜149 μm であった。
【００４２】
0003691557.tif 000006
上記した複合ポリマーエマルジョン１に対して、重量比で、モルタルを1.0 〜6.5 の割合で掻き混ぜて殺菌材５を製造する。
【００４３】
ここで、上記した殺菌材５の抗菌力測定試験の結果を以下に示す。
【００４４】
〔使用菌株〕
▲１▼ＭＲＳＡ(Methicillin resistant Staphylococcus aureus)
▲２▼緑膿菌（Pseudomonas aeruginosa)
〔試験方法〕
1)  試料の準備
殺菌材５を厚さ１mmの膜状に形成し、20mmの正方形に裁断し、オートクレイブで加圧滅菌した。
【００４５】
2)  培養試験
ブレインハートインフュージョン寒天培地で24時間培養した菌を滅菌リン酸緩衝食塩液(PBS) に108 個／mlとなるように懸濁した。これを原菌液として10倍段階希釈し、106 個／mlに調整した試験菌懸濁液を試料となる殺菌材５上に接種した後、35℃で18時間、フ卵器内で湿潤静置培養した。
【００４６】
培養後、滅菌PBS 20mlに試料を入れ、ストマッカーで30秒間振とうし、試料中の生菌を液中に分散させた。さらに、分散液を原液として10倍段階希釈した後、原液と各段階の希釈液をそれぞれ１mlずつ２枚のシャーレに取り標準寒天培地で混釈平板とし、37℃、48時間培養した。培養後出現した集落数から、生菌数を算出し、菌の減少率から試料の抗菌力を判定した。
減少率（％）＝
（初発菌数−18時間後の菌数）／初発菌数×100
3)結果
ＭＲＳＡ50株に対する抗菌力
全株99％以上の減少率で、培養18時間後の菌数は、初発菌数に比べ、1/100 以下に減少した。
緑膿菌50株に対する抗菌力
全株90％以上の減少率で、培養18時間後の菌数は、初発菌数に比べ、1/10以下に減少した。
【００４７】
以上説明してきたように、本発明に係る空気流路用殺菌材は、モルタル内に混入した複合ポリマーエマルジョンとセラミック粉の保有する良好な抗菌力によって、ＭＲＳＡ及び緑膿菌等の細菌を著しく減少させることができる。
【００４８】
また、ここでは、院内感染の防止を主な目的としているので、ＭＲＳＡ及び緑膿菌に対する有効性を強調したが、実験的には、食中毒の原因菌となるサルモネラ菌に対する優れた殺菌作用も確かめられている。
【００４９】
さらに、本発明に係る空気流路用殺菌材は、その他雑菌に対しても有効であり、かかる雑菌を死滅させることができることから、以下のような用途も考えられる。
【００５０】
例えば、本空気流路用殺菌材をマスクに適用すれば、インフルエンザの流行時などの予防として有益である。
【００５１】
また、雑菌により発生する異臭がなくなるので、かかる消臭作用を利用して自動車のエアコンの空気流路の中途や吹き出し口などに適用すれば、エアコンを作動させたときに時折発生する異臭を消臭して自動車室内の消臭を図ることができる。
【００５２】
【発明の効果】
本発明に係る空気流路用殺菌材は、モルタルに、アクリル酸エステル共重合体を主成分とする複合ポリマーエマルジョンとセラミック粉とを混入して生成した殺菌材を、空気流路中に配設するフィルターに担持させて形成している。
【００５３】
かかる殺菌材は、モルタル内に混入した複合ポリマーエマルジョンとセラミック粉の保有する良好な抗菌力によって、病院内に存在するＭＲＳＡ及び緑膿菌等の細菌を空気の流通過程において除去することができるので、院内感染の防止にきわめて有効であり、病室内の空気を殺菌することによって、抵抗力のない入院患者などが院内感染することを効果的に防止できる。
【００５４】
また、マスクに適用すれば、インフルエンザの予防などに有益となる。
【００５５】
さらに、雑菌を死滅させることにより、かかる雑菌による異臭の発生がないので、この消臭作用を利用して自動車のエアコンなどに適用すれば自動車内の消臭が可能となる。
【図面の簡単な説明】
【図１】本発明に係る空気流路用殺菌材の配設状態を示す説明図である。
【図２】同空気流路用殺菌材の一適用例を示す説明図である。
【図３】同空気流路用殺菌材の一適用例を示す説明図である。
【符号の説明】
Ａ  病室
１  空調機
２  換気装置
３  ダクト
４  フィルター
５  殺菌材
【図１】
0003691557.tif 000007
【図２】
0003691557.tif 000008
【図３】
0003691557.tif 000009